(57)【要約】【課題】コストの嵩まないシンプルな構造により、照明窓から観察窓へ照明光が直接飛び込まないようにすることができて、ゴーストやフレアの発生を効果的に抑制することができる側方視型内視鏡の先端部を提供すること。【解決手段】挿入部１の先端（２）の側面に観察窓１１と照明窓１２が隣接して並んで配置された側方視型内視鏡の先端部において、観察窓１１と照明窓１２との境界部分の全幅にわたって遮光性の接着剤２０を盛り上がった状態に塗布して硬化させた。【選択図】      図１
2006239185.tif 000002
【特許請求の範囲】
【請求項１】
挿入部の先端の側面に観察窓と照明窓が隣接して並んで配置された側方視型内視鏡の先端部において、
上記観察窓と照明窓との境界部分の全幅にわたって遮光性の接着剤を盛り上がった状態に塗布して硬化させたことを特徴とする側方視型内視鏡の先端部。
【請求項２】
上記接着剤が上記観察窓と上記照明窓の双方にまたがって塗布されている請求項１記載の側方視型内視鏡の先端部。
【請求項３】
上記観察窓と上記照明窓の上記接着剤が塗布されているガラス面がその周囲のガラス面より一段低い粗面状に形成されている請求項１又は２記載の側方視型内視鏡の先端部。
【発明の詳細な説明】
【技術分野】
【０００１】
この発明は側方視型内視鏡の先端部に関する。
【背景技術】
【０００２】
側方視型内視鏡においては一般に、挿入部の先端の側面に観察窓と照明窓が隣接して並んで配置されているが、処置具突出口が長い溝状にならざるを得ないレイアウト上の事情等から、観察窓と照明窓との間が非常に接近した配置になってしまうのが普通である。
【０００３】
すると、例えば図７に示されるように、観察窓９１と照明窓９２との境界部分に水滴１００が付着したとき、照明窓９２から放射された照明光の一部が水滴１００内を経由して観察窓９１内に直接飛び込んで、対物光学系９３により投影される内視鏡観察像中に強烈なゴーストやフレアが発生する場合がある。
【０００４】
そのような現象に対する対策として従来は、例えば特許文献１に示されるように、対物光学系内に遮光板等を配置してゴーストやフレアの発生を抑制していた。
【特許文献１】特開平６−５９１９５
【発明の開示】
【発明が解決しようとする課題】
【０００５】
しかし、特許文献１に記載されているように対物光学系内に遮光板等を配置して効果をあげるためには直径が１〜３ｍｍ程度の小さな対物光学系内の複数カ所に遮光板を配置する必要があるため、構造が極めて精密になってコストが嵩み、しかも上述のような強烈な迷光によるゴースト発生を完全に抑制するのは困難であった。
【０００６】
そこで本発明は、コストの嵩まないシンプルな構造により、照明窓から観察窓へ照明光が直接飛び込まないようにすることができて、ゴーストやフレアの発生を効果的に抑制することができる側方視型内視鏡の先端部を提供することを目的とする。
【課題を解決するための手段】
【０００７】
上記の目的を達成するため、本発明の側方視型内視鏡の先端部は、挿入部の先端の側面に観察窓と照明窓が隣接して並んで配置された側方視型内視鏡の先端部において、観察窓と照明窓との境界部分の全幅にわたって遮光性の接着剤を盛り上がった状態に塗布して硬化させたものである。
【０００８】
なお、接着剤が観察窓と照明窓の双方にまたがって塗布されていると遮光効果が高く、観察窓と照明窓の接着剤が塗布されているガラス面がその周囲のガラス面より一段低い粗面状に形成されていてもよい。
【発明の効果】
【０００９】
本発明によれば、観察窓と照明窓との境界部分の全幅にわたって遮光性の接着剤を盛り上がった状態に塗布して硬化させたことにより、照明窓と観察窓とにまたがって水滴が付着することを妨げる効果があると同時に、たとえ水滴が付着しても照明窓から観察窓側に向かう光が接着剤により遮光されてゴーストやフレアの発生を効果的に抑制することができ、しかも構造がシンプルで製造コストが嵩まない。
【発明を実施するための最良の形態】
【００１０】
挿入部の先端の側面に観察窓と照明窓が隣接して並んで配置された側方視型内視鏡の先端部において、観察窓と照明窓との境界部分の全幅にわたって遮光性の接着剤を盛り上がった状態に塗布して硬化させた。
【実施例】
【００１１】
図面を参照して本発明の実施例を説明する。
図２は側方視型内視鏡の全体構成を示しており、可撓性の挿入部１の先端に連結された先端部本体２に内視鏡観察像を撮像するための固体撮像素子３や観察範囲を照明するためのライトガイド４の射出端等が内蔵されていて、先端部本体２の側方を観察するようになっている。
【００１２】
挿入部１の基端には操作部５が連結されていて、操作部５から延出する可撓性連結管６の先端に取り付けられたコネクタ部７には、図示されていないビデオプロセッサ兼光源装置に接続される信号コネクタ８とライトガイドコネクタ９とが突設されている。
【００１３】
図３は挿入部１の先端部分の外観を示す斜視図、図１はその内部構造を示す側面断面図であり、先端部本体２の側面に観察窓１１と照明窓１２が１ｍｍの数分の１程度の間隔で並んで配置されている。観察窓１１と照明窓１２には各々ガラス製のカバーレンズが取り付けられている。１０は、先端部本体２を囲んで配置された先端キャップである。
【００１４】
観察窓１１の後方側から観察窓１１側に向けて配置された送気送水ノズル１３からは、観察窓１１の表面に向かって空気や水を噴出させることができ、図３に示されるように観察窓１１及び照明窓１２の横に並んで溝状に形成された処置具突出口１４内には、処置具の突出方向を制御するための処置具起上片１５が配置されている。
【００１５】
図１に示されるように、ライトガイド４の射出端は、射出端面が照明窓１２の裏面に対向するように配置されていて、ライトガイド４から射出された照明光が照明窓１２から外方に放射される。
【００１６】
観察窓１１の裏面位置にはダハプリズム１６が配置されていて、そのダハプリズム１６で反射された光が対物光学系１７を通り、固体撮像素子３の撮像面に被写体の像（内視鏡観察像）が投影される。
【００１７】
そのように構成された側方視型内視鏡の先端部の観察窓１１と照明窓１２との境界部分には、その境界部分の全幅にわたって不透明な黒色の例えばエポキシ樹脂等からなる遮光性の接着剤２０が盛り上がった状態に塗布されて硬化されている。
【００１８】
この実施例においては、接着剤２０が観察窓１１と照明窓１２の双方にまたがって全幅に塗布されている。その結果、照明窓１２と観察窓１１とにまたがって水滴が付着することを妨げる効果があると同時に、たとえその部分に水滴が付着しても、照明窓１２から観察窓１１側に向かう光が接着剤２０により遮光されてゴーストやフレアが発生しない。
【００１９】
観察窓１１と照明窓１２の表面のうちそのような接着剤２０が塗布されているガラス面はその周囲のガラス面より一段低い粗面状に形成されていて、接着剤２０を塗布する範囲が明瞭に示されると同時に接着剤２０に対する接着性が高められている。
【００２０】
なお、本発明は上記実施例に限定されるものではなく、例えば図４、図５及び図６に示されるように、接着剤２０を観察窓１１と照明窓１２の一方だけに塗布し、或いは観察窓１１と照明窓１２との間の部分だけに塗布しても、それなりの遮光効果を得ることができる。
【図面の簡単な説明】
【００２１】
【図１】本発明の第１の実施例の側方視型内視鏡の先端部の側面断面図である。
【図２】本発明の実施例の側方視型内視鏡の全体構成を示す側面図である。
【図３】本発明の第１の実施例の側方視型内視鏡の先端部の斜視図である。
【図４】本発明の第２の実施例の側方視型内視鏡の先端部の側面断面図である。
【図５】本発明の第３の実施例の側方視型内視鏡の先端部の側面断面図である。
【図６】本発明の第４の実施例の側方視型内視鏡の先端部の側面断面図である。
【図７】従来の側方視型内視鏡の先端部の側面断面図である。
【符号の説明】
【００２２】
１  挿入部
２  先端部本体
３  固体撮像素子
４  ライトガイド
１１  観察窓
１２  照明窓
１７  対物光学系
２０  接着剤
【図１】
2006239185.tif 000003
【図２】
2006239185.tif 000004
【図３】
2006239185.tif 000005
【図４】
2006239185.tif 000006
【図５】
2006239185.tif 000007
【図６】
2006239185.tif 000008
【図７】
2006239185.tif 000009